(57)【特許請求の範囲】
【請求項１】
表示部と、
第１画面遷移ルールおよび第２画面遷移ルールを含む複数の画面遷移ルールを示す情報ならびに複数の画面データを記憶する記憶部と、
ユーザーの動作に応じて入力される信号に応答して、前記複数の画面遷移ルールのうちの１つの画面遷移ルールを指定する指定部と、
ユーザーの動作に応じて入力される信号に応答して、前記指定部によって指定された前記１つの画面遷移ルールに基づき、前記表示部に表示されている画面を、前記複数の画面データのうちの１つの画面データに係る画面から該１つの画面データとは異なる他の１つの画面データに係る画面に遷移させる表示制御部と、を備え、
前記複数の画面データは、
第１画面データ、第２画面データおよび第３画面データを含んでおり、
前記第１画面遷移ルールは、
(1a)前記第１画面データに係る第１画面が前記表示部に表示されている状態において、ユーザーによる第１動作に応じて入力される信号に応答して前記表示部に表示されている画面を前記表示制御部によって前記第１画面から前記第２画面データに係る第２画面に遷移させるルール、および(1b)前記第１画面が前記表示部に表示されている状態において、ユーザーによる前記第１動作とは異なる第２動作に応じて入力される信号に応答して前記表示部に表示されている画面を前記表示制御部によって前記第１画面から前記第３画面データに係る第３画面に遷移させるルールを含み、
前記第２画面遷移ルールは、
(2a)前記第１画面が前記表示部に表示されている状態において、ユーザーによる第３動作に応じて入力される信号に応答して前記表示部に表示されている画面を前記表示制御部によって前記第１画面から前記第２画面に遷移させるルール、および(2b)前記第２画面が前記表示部に表示されている状態において、ユーザーによる前記第３動作に応じて入力される信号に応答して前記表示部に表示されている画面を前記表示制御部によって前記第２画面から前記第３画面に遷移させるルールを含むことを特徴とする表示装置。
【請求項２】
請求項１に記載の表示装置であって、
前記第１画面遷移ルールは、
(1c)２以上の階層のうちの最上位の階層の１つの画面を起点となる画面とし、前記２以上の階層のうちの一階層の画面データに係る一画面が前記表示部に表示されている状態において、ユーザーによる動作に応じて入力される信号に応答して、前記表示部に表示されている画面を、前記表示制御部によって前記一画面から前記２以上の階層のうちの前記一階層よりも１つ下の他階層の画面データに係る他画面に遷移させるルールを含み、
前記第２画面遷移ルールは、
(2c)ユーザーによる前記第３動作に応じて入力される信号に応答して、前記表示部に表示されている画面を、前記表示制御部によって前記２以上の階層に属する全ての画面データに係る全ての画面が順に表示されるように遷移させるルールを含むことを特徴とする表示装置。
【請求項３】
請求項１または請求項２に記載の表示装置であって、
前記複数の画面データは、
第４画面データ、第５画面データおよび第６画面データを含んでおり、
前記第１画面遷移ルールは、
(1d)前記第４画面データに係る第４画面が前記表示部に表示されている状態において、ユーザーによる第４動作に応じて入力される信号に応答して前記表示部に表示されている画面を前記表示制御部によって前記第４画面から前記第５画面データに係る第５画面に遷移させるルール、および(1e)前記第４画面が前記表示部に表示されている状態において、ユーザーによる前記第４動作とは異なる第５動作に応じて入力される信号に応答して前記表示部に表示されている画面を前記表示制御部によって前記第４画面から前記第６画面データに係る第６画面に遷移させるルールをさらに含み、
前記第２画面遷移ルールは、
(2d)前記第４画面が前記表示部に表示されている状態において、ユーザーによる前記第３動作に応じて入力される信号に応答して前記表示部に表示されている画面を前記表示制御部によって前記第４画面から前記第５画面に遷移させるルール、および(2e)前記第５画面が前記表示部に表示されている状態において、ユーザーによる前記第３動作に応じて入力される信号に応答して前記表示部に表示されている画面を前記表示制御部によって前記第５画面から前記第６画面に遷移させるルールを含むとともに、さらに、(2f)前記第１画面と前記第４画面とを含む第１画面群の何れか１つの画面が前記表示部に表示されている状態において、ユーザーによる予め設定された動作に応じて入力される信号に応答して前記表示部に表示されている画面を前記表示制御部によって前記第１画面群を構成する２以上の画面が順に表示されるように遷移させるルール、(2g)前記第２画面と前記第５画面とを含む第２画面群の何れか１つの画面が前記表示部に表示されている状態において、ユーザーによる予め設定された動作に応じて入力される信号に応答して前記表示部に表示されている画面を前記表示制御部によって前記第２画面群を構成する２以上の画面が順に表示されるように遷移させるルール、および(2h)前記第３画面と前記第６画面とを含む第３画面群の何れか１つの画面が前記表示部に表示されている状態において、ユーザーによる予め設定された動作に応じて入力される信号に応答して前記表示部に表示されている画面を前記表示制御部によって前記第３画面群を構成する２以上の画面が順に表示されるように遷移させるルールを含むことを特徴とする表示装置。
【請求項４】
請求項１から請求項３の何れか１つの請求項に記載の表示装置であって、
前記表示部が、
ユーザーの動作に応じた信号を前記指定部および前記表示制御部に出力する操作部を含むことを特徴とする表示装置。
【請求項５】
請求項１から請求項４の何れか１つの請求項に記載の表示装置であって、
ユーザーの操作に応じた信号を前記指定部および前記表示制御部に出力する操作部を備えることを特徴とする表示装置。
【請求項６】
表示装置に含まれているプロセッサーにおいて実行されることにより、前記表示装置を、請求項１から請求項５の何れか１つの請求項に記載の表示装置として機能させるプログラム。
【発明の詳細な説明】
【技術分野】
【０００１】
本発明は、表示装置およびプログラムに関する。
【背景技術】
【０００２】
自動車および食品等を含む各種の被測定物の色を定量的に測定する測色計が、広く知られ、利用されている。そして、測色計には、機能および操作の内容ならびに測定の結果等を表示する表示部が設けられる。【０００３】
ところで、持ち運びを容易とするために測色計の小型化が図られれば、表示部のサイズおよび解像度が小さくなる。この場合には、例えば、階層化されて樹枝状に関連付けられた複数の画面の間において画面が遷移されるような構成が採用される。【０００４】
具体的には、例えば、表示部に表示される各機能が、関連するもの同士がまとめられて上層（上位階層）、中層（中位階層）および下層（下位階層）の３層の階層構造に分類され、スイッチの操作によって各機能が実行される技術がある（例えば、特許文献１等）。この技術では、例えば、上位階層に属する複数の選択肢を提示する画面が表示され、その画面上で１つの選択肢が選択されると、選択された１つの選択肢について中位階層に属する複数の選択肢を提示する画面が表示される。また、例えば、中位階層に属する複数の選択肢を提示する画面上で１つの選択肢が選択されると、選択された１つの選択肢について下位階層に属する複数の選択肢を提示する画面が表示される。
【先行技術文献】
【特許文献】
【０００５】
【特許文献１】特開２００８−９２２１９号公報
【発明の概要】
【発明が解決しようとする課題】
【０００６】
しかしながら、上記特許文献１の技術では、関連する複数の機能に係る項目がまとめて表示されるため、測色計についての知識が豊富なユーザーでなければ、階層化された複数の画面の間で画面を遷移させて、所望の機能に係る項目を迅速に探し出すことができない。このような問題は、一度に表示可能な情報量が限られた小型の表示部を有する表示装置一般に共通する。【０００７】
本発明は、上記課題に鑑みてなされたものであり、小型の表示部において所望の項目を容易かつ迅速に探し出すことができる表示技術を提供することを目的とする。
【課題を解決するための手段】
【０００８】
上記課題を解決するために、第１の態様に係る表示装置は、表示部と、第１画面遷移ルールおよび第２画面遷移ルールを含む複数の画面遷移ルールを示す情報ならびに複数の画面データを記憶する記憶部と、ユーザーの動作に応じて入力される信号に応答して、前記複数の画面遷移ルールのうちの１つの画面遷移ルールを指定する指定部と、ユーザーの動作に応じて入力される信号に応答して、前記指定部によって指定された前記１つの画面遷移ルールに基づき、前記表示部に表示されている画面を、前記複数の画面データのうちの１つの画面データに係る画面から該１つの画面データとは異なる他の１つの画面データに係る画面に遷移させる表示制御部と、を備え、前記複数の画面データは、第１画面データ、第２画面データおよび第３画面データを含んでおり、前記第１画面遷移ルールは、(1a)前記第１画面データに係る第１画面が前記表示部に表示されている状態において、ユーザーによる第１動作に応じて入力される信号に応答して前記表示部に表示されている画面を前記表示制御部によって前記第１画面から前記第２画面データに係る第２画面に遷移させるルール、および(1b)前記第１画面が前記表示部に表示されている状態において、ユーザーによる前記第１動作とは異なる第２動作に応じて入力される信号に応答して前記表示部に表示されている画面を前記表示制御部によって前記第１画面から前記第３画面データに係る第３画面に遷移させるルールを含み、前記第２画面遷移ルールは、(2a)前記第１画面が前記表示部に表示されている状態において、ユーザーによる第３動作に応じて入力される信号に応答して前記表示部に表示されている画面を前記表示制御部によって前記第１画面から前記第２画面に遷移させるルール、および(2b)前記第２画面が前記表示部に表示されている状態において、ユーザーによる前記第３動作に応じて入力される信号に応答して前記表示部に表示されている画面を前記表示制御部によって前記第２画面から前記第３画面に遷移させるルールを含む。【０００９】
第２の態様に係る表示装置は、第１の態様に係る表示装置であって、前記第１画面遷移ルールは、(1c)２以上の階層のうちの最上位の階層の１つの画面を起点となる画面とし、前記２以上の階層のうちの一階層の画面データに係る一画面が前記表示部に表示されている状態において、ユーザーによる動作に応じて入力される信号に応答して、前記表示部に表示されている画面を、前記表示制御部によって前記一画面から前記２以上の階層のうちの前記一階層よりも１つ下の他階層の画面データに係る他画面に遷移させるルールを含み、前記第２画面遷移ルールは、(2c)ユーザーによる前記第３動作に応じて入力される信号に応答して、前記表示部に表示されている画面を、前記表示制御部によって前記２以上の階層に属する全ての画面データに係る全ての画面が順に表示されるように遷移させるルールを含む。【００１０】
第３の態様に係る表示装置は、第１または第２の態様に係る表示装置であって、前記複数の画面データは、第４画面データ、第５画面データおよび第６画面データを含んでおり、前記第１画面遷移ルールは、(1d)前記第４画面データに係る第４画面が前記表示部に表示されている状態において、ユーザーによる第４動作に応じて入力される信号に応答して前記表示部に表示されている画面を前記表示制御部によって前記第４画面から前記第５画面データに係る第５画面に遷移させるルール、および(1e)前記第４画面が前記表示部に表示されている状態において、ユーザーによる前記第４動作とは異なる第５動作に応じて入力される信号に応答して前記表示部に表示されている画面を前記表示制御部によって前記第４画面から前記第６画面データに係る第６画面に遷移させるルールをさらに含み、前記第２画面遷移ルールは、(2d)前記第４画面が前記表示部に表示されている状態において、ユーザーによる前記第３動作に応じて入力される信号に応答して前記表示部に表示されている画面を前記表示制御部によって前記第４画面から前記第５画面に遷移させるルール、および(2e)前記第５画面が前記表示部に表示されている状態において、ユーザーによる前記第３動作に応じて入力される信号に応答して前記表示部に表示されている画面を前記表示制御部によって前記第５画面から前記第６画面に遷移させるルールを含むとともに、さらに、(2f)前記第１画面と前記第４画面とを含む第１画面群の何れか１つの画面が前記表示部に表示されている状態において、ユーザーによる予め設定された動作に応じて入力される信号に応答して前記表示部に表示されている画面を前記表示制御部によって前記第１画面群を構成する２以上の画面が順に表示されるように遷移させるルール、(2g)前記第２画面と前記第５画面とを含む第２画面群の何れか１つの画面が前記表示部に表示されている状態において、ユーザーによる予め設定された動作に応じて入力される信号に応答して前記表示部に表示されている画面を前記表示制御部によって前記第２画面群を構成する２以上の画面が順に表示されるように遷移させるルール、および(2h)前記第３画面と前記第６画面とを含む第３画面群の何れか１つの画面が前記表示部に表示されている状態において、ユーザーによる予め設定された動作に応じて入力される信号に応答して前記表示部に表示されている画面を前記表示制御部によって前記第３画面群を構成する２以上の画面が順に表示されるように遷移させるルールを含む。【００１１】
第４の態様に係る表示装置は、第１から第３の何れか１つの態様に係る表示装置であって、前記表示部が、ユーザーの動作に応じた信号を前記指定部および前記表示制御部に出力する操作部を含む。【００１２】
第５の態様に係る表示装置は、第１から第４の何れか１つの態様に係る表示装置であって、ユーザーの操作に応じた信号を前記指定部および前記表示制御部に出力する操作部を備える。【００１３】
第６の態様に係るプログラムは、表示装置に含まれているプロセッサーにおいて実行されることにより、前記表示装置を、第１から第５の何れか１つの態様に係る表示装置として機能させるプログラムである。
【発明の効果】
【００１４】
第１から第５の何れの態様に係る表示装置によっても、小型の表示部において所望の項目を容易かつ迅速に探し出すことができる。【００１５】
第３の態様に係る表示装置によれば、例えば、対応する画面を対比しながら確認することができる。【００１６】
第４の態様に係る表示装置によれば、例えば、表示部とは別に操作部を設けなくても良いため、表示装置の小型化が図られる。【００１７】
第５の態様に係る表示装置によれば、例えば、表示部の小型化が図られる。【００１８】
第６の態様に係るプログラムによれば、上記第１から第５の何れかの１つの態様に係る表示装置と同様な効果が得られる。
【図面の簡単な説明】
【００１９】
【図１】図１は、一実施形態に係る測色計の外観を模式的に示す図である。
【図２】図２は、一実施形態に係る制御ユニットの外観を模式的に示す平面図である。
【図３】図３は、一実施形態に係る測色計の機能的な構成を示すブロック図である。
【図４】図４は、プロセッサーで実現される機能的な構成を示すブロック図である。
【図５】図５は、第１ルールテーブルの一具体例を示す図である。
【図６】図６は、第２ルールテーブルの一具体例を示す図である。
【図７】図７は、第３ルールテーブルの一具体例を示す図である。
【図８】図８は、通常画面遷移ルールに従った表示画面の遷移態様を例示する図である。
【図９】図９は、簡易画面遷移ルールに従った表示画面の遷移態様を例示する図である。
【図１０】図１０は、全画面順次遷移ルールに従った表示画面の遷移態様を例示する図である。
【図１１】図１１は、メイン画面を例示する図である。
【図１２】図１２は、色設定に係るメニュー画面を例示する図である。
【図１３】図１３は、色空間の設定に係るメニュー画面を例示する図である。
【図１４】図１４は、Ｐｈ．ＥＵの色相設定に係るメニュー画面を例示する図である。
【図１５】図１５は、第１変形例に係る記憶部１１ｓに記憶される情報を例示する図である。
【図１６】図１６は、システムの設定に係るメニュー画面を例示する図である。
【図１７】図１７は、言語の設定に係る画面を例示する図である。
【図１８】図１８は、英語で記述された画面を例示する図である。
【図１９】図１９は、日本語で記述された画面を例示する図である。
【図２０】図２０は、中国語で記述された画面を例示する図である。
【図２１】図２１は、ドイツ語で記述された画面を例示する図である。
【図２２】図２２は、第２変形例に係る表示画面の遷移態様を例示する図である。
【図２３】図２３は、一変形例に係る測色計の機能的な構成を示すブロック図である。
【発明を実施するための形態】
【００２０】
以下、本発明の一実施形態および各種変形例を図面に基づいて説明する。なお、図面においては同様な構成および機能を有する部分については同じ符号が付されており、下記説明では重複説明が省略される。なお、図１および図２には、連結部２０が延在する方向を±Ｚ方向とする右手系のＸＹＺ座標系が付されている。
【００２１】
＜(１)一実施形態＞
＜(１−１)測色計の構成＞
図１は、一実施形態に係る測色計１の外観を模式的に示す図である。図１で示されるように、測色計１は、制御ユニット１０、連結部２０および測定ユニット３０を備えている。図２は、制御ユニット１０を＋Ｚ方向から見た様子を示す平面図である。
【００２２】
制御ユニット１０は、筐体１０ｂｄならびに該筐体１０ｂｄに設けられているマイクロコンピューター部（以下、マイコン部と称する）１１、操作部１２、表示部１３および読み取り部１４を有している。
【００２３】
筐体１０ｂｄは、例えば、略立方体状の構成を有する。本実施形態では、筐体１０ｂｄ内にマイコン部１１が設けられている。また、筐体１０ｂｄの＋Ｚ方向の一主面に、操作部１２および表示部１３が設けられ、筐体１０ｂｄの−Ｙ方向の側方の部分に、読み取り部１４が設けられている。マイコン部１１は、操作部１２から入力される信号に応じて、表示部１３、読み取り部１４および測定ユニット３０等の動作を制御する。操作部１２は、測色計１のユーザーによる操作を受け付け、該操作に応じた信号をマイコン部１１に対して出力する。表示部１３は、マイコン部１１による制御によって、各種画面を表示する。読み取り部１４は、例えば、記憶媒体Ｃｄ１が着脱可能な部分である。記憶媒体Ｃｄ１は、例えば、メモリーカード等であれば良い。マイコン部１１は、読み取り部１４によって、記憶媒体Ｃｄ１に記憶される各種情報の読み込み、および記憶媒体Ｃｄ１への各種情報の書き込みを行う。
【００２４】
連結部２０は、制御ユニット１０と測定ユニット３０とを連結する。連結部２０は、例えば、Ｚ方向に延在する略円柱状の構成を有する。そして、連結部２０は、例えば、測色計１のユーザーによって把持される。
【００２５】
測定ユニット３０は、筐体３０ｂｄならびに該筐体３０ｂｄ内に設けられている光源部３１および測定部３２を有している。
【００２６】
筐体３０ｂｄは、例えば、略立方体状の構成を有する。筐体３０ｂｄの−Ｚ方向の一主面には、開口部３０ｏｐが設けられている。開口部３０ｏｐは、例えば、筐体３０ｂｄに設けられた開口に透明な板材が嵌め込まれた構成を有する。透明な板材は、例えば、ガラス板等であれば良い。なお、測色計１によって被測定物の色が測定される際には、開口部３０ｏｐが塞がれるように筐体３０ｂｄが被測定物に当接される。
【００２７】
光源部３１は、予め設定された所定色の光（照射光とも言う）を発する。所定色は、例えば、白色であれば良い。例えば、光源部３１が、キセノンランプあるいはＬＥＤ等で構成される場合には、光源部３１から白色光が発せられ得る。そして、光源部３１は、マイコン部１１による制御によって照射光を発し、該照射光は、開口部３０ｏｐを介して被測定物に照射される。
【００２８】
測定部３２は、マイコン部１１による制御によって、光源部３１からの照射光が被測定物に照射されることで被測定物から発せられる光（被測定光とも言う）を受光し、該被測定光の特性を測定する。該被測定光が、被測定物から発せられる反射光である場合には、例えば、測定部３２が、反射光を分光した後に受光し、該反射光の分光スペクトルに係るデータを取得する。ここでは、反射光の分光は、例えば、回折格子等によって行われれば良い。また、分光後の反射光は、例えば、線状に画素が並ぶＣＣＤ等によって受光されれば良い。そして、測定部３２では、例えば、被測定光の分光特性と、光源部３１から発せられる照射光の波長スペクトルとに基づいて、被測定物の光学特性が求められ得る。測定部３２で得られる被測定物の光学特性を示すデータは、マイコン部１１に送出される。
【００２９】
図２で示されるように、制御ユニット１０の＋Ｚ方向の一主面には、操作部１２および表示部１３が配置されている。ここで、制御ユニット１０のサイズに応じて表示部１３のサイズが限定される場合には、測色計１は、小型の表示部１３を有する表示装置としての役割を果たす。
【００３０】
操作部１２は、ボタン１２１〜１２４、十字ボタン１２５および決定ボタン１２６を有している。ボタン１２１は、図示を省略するバッテリー等の電源部からの電力の供給によって測色計１を起動させるためのボタン（電源ボタンとも言う）である。ボタン１２２は、表示部１３に各種メニューを表示させるためのボタン（メニューボタンとも言う）である。ボタン１２３は、例えば、表示部１３に表示されている画面（表示画面とも言う）の遷移を若干簡易化するためのボタンとしての役割を果たす。ボタン１２４は、例えば、表示部１３に表示される表示画面の遷移を非常に簡易化するためのボタンとしての役割を果たす。十字ボタン１２５は、上ボタン１２５１、下ボタン１２５２、左ボタン１２５３および右ボタン１２５４を有している。決定ボタン１２６は、表示部１３の表示画面上において各種選択肢等の選択を決定するためのボタンとしての役割を果たす。
【００３１】
表示部１３は、各種画面を表示する。該表示部１３としては、例えば、複数の画素がマトリックス状に配列されている液晶表示ディスプレイ等が採用される。ここで、複数の画素のマトリックス状の配列としては、例えば、横方向としてのＸ方向に第１所定数の画素が配列され、縦方向としてのＹ方向に第２所定数の画素列が並べられている配列等が採用される。なお、第１所定数としては、例えば、３２０が採用され、第２所定数としては、例えば、２４０が採用される態様が考えられる。
【００３２】
図３は、測色計１の機能的な構成を示すブロック図である。図３で示されるように、マイコン部１１に対して、操作部１２、表示部１３、読み取り部１４、光源部３１および測定部３２が接続されている。
【００３３】
マイコン部１１は、主に、プロセッサー１１ｃ、メモリー１１ｍおよび記憶部１１ｓを備えている。記憶部１１ｓは、例えば、プログラムＰＧ１、複数のルールテーブルＴＬ１および複数の画面データＳＤ１等の各種データを記憶する。そして、マイコン部１１における各種機能は、プロセッサー１１ｃが、プログラムＰＧ１を実行することで実行される。つまり、プロセッサー１１ｃにおいてプログラムＰＧ１が実行されることにより、表示装置としての測色計１における各種機能が実現される。
【００３４】
また、複数のルールテーブルＴＬ１は、表示部１３に表示される表示画面の遷移を規定するルール（画面遷移ルールとも言う）を示す情報である。本実施形態では、複数のルールテーブルＴＬ１には、第１〜３ルールテーブルＴＬ１１〜ＴＬ１３が含まれている。つまり、第１ルールテーブルＴＬ１１は、表示部１３に表示される表示画面の通常の遷移を規定するルール（通常画面遷移ルールとも言う）を示す情報である。第２ルールテーブルＴＬ１２は、表示部１３に表示される表示画面の簡易な遷移を規定するルール（簡易画面遷移ルールとも言う）を示す情報である。第３ルールテーブルＴＬ１３は、表示部１３に表示される表示画面の非常に簡易な遷移を規定するルール（全画面順次遷移ルールとも言う）を示す情報である。
【００３５】
また、複数の画面データＳＤ１は、表示部１３に表示される表示画面を示すデータである。
【００３６】
図４は、プロセッサー１１ｃでプログラムＰＧ１が実行されることによって、マイコン部１１で実現される機能的な構成を示す図である。図４で示されるように、マイコン部１１は、機能的な構成として、指定部１１１および表示制御部１１２を有する。
【００３７】
指定部１１１は、ユーザーによる操作部１２の操作に応じて入力される信号に応答して、画面遷移ルールをそれぞれ示す複数のルールテーブルＴＬ１のうちの１つの画面遷移ルールを選択的に指定する。具体的には、第１〜３ルールテーブルＴＬ１１〜ＴＬ１３のうちの何れか１つのルールテーブルが指定される。１つのルールテーブルの指定は、例えば、ユーザーによる操作部１２の特定の操作によって実現される。ここで、例えば、特定の操作が、電源ボタンとしてのボタン１２１の単純な押下であれば、第１ルールテーブルＴＬ１１が指定される。また、例えば、特定の操作が、ボタン１２３が押下されている状態でボタン１２１が押下される操作であれば、第２ルールテーブルＴＬ１２が指定される。また、例えば、特定の操作が、ボタン１２４が押下されている状態でボタン１２１が押下される操作であれば、第３ルールテーブルＴＬ１３が指定される。
【００３８】
表示制御部１１２は、表示部１３における画面の表示を制御する。例えば、表示制御部１１２は、ユーザーによる操作部１２の操作に応じて入力される信号に応答して、指定部１１１によって指定された１つの画面遷移ルールに基づき、表示部１３に表示されている表示画面を遷移させる。具体的には、複数の画面データＳＤ１のうちの１つの画面データに係る画面から該１つの画面データとは異なる他の１つの画面データに係る画面に遷移させる。
【００３９】
＜(１−２)画面遷移ルール＞
図５から図７は、各ルールテーブルＴＬ１の具体例を示す図である。図５には、通常画面遷移ルールを規定する第１ルールテーブルＴＬ１１の一具体例が示されている。図６には、簡易画面遷移ルールを規定する第２ルールテーブルＴＬ１２の一具体例が示されている。図７には、全画面順次遷移ルールを規定する第３ルールテーブルＴＬ１３の一具体例が示されている。各ルールテーブルＴＬ１１〜ＴＬ１３では、表示部１３の表示画面を遷移させるために必要な動作が記述されている。ここでは、メイン画面Ｇ１ｍ、メニューＡ画面Ｇ１ａ、メニューＡ１画面Ｇａ１、メニューＡ２画面Ｇａ２、メニューＢ画面Ｇ１ｂ、メニューＢ１画面Ｇｂ１およびメニューＢ２画面Ｇｂ２のうちの何れか１つの画面が表示部１３に表示される例が示されている。
【００４０】
具体的には、図５から図７で示されるように、左端に上から順に記載されている名称の画面が表示部１３に表示されている状態で、上端に左から順に記載されている名称の画面に遷移させるための動作が記述されている。ここでは、動作Ａは、メニューＡを選択する動作を示し、動作Ｂは、メニューＢを選択する動作を示し、動作Ｌは、左ボタン１２５３を押下する動作を示し、動作Ａ１は、メニューＡ１を選択する動作を示し、動作Ａ２は、メニューＡ２を選択する動作を示している。また、動作Ｂ１は、メニューＢ１を選択する動作を示し、動作Ｂ２は、メニューＢ２を選択する動作を示し、動作Ｕは、上ボタン１２５１を押下する動作を示し、動作Ｄは、下ボタン１２５２を押下する動作を示している。例えば、図５では、表示画面をメイン画面Ｇ１ｍからメニューＡ画面Ｇ１ａに遷移させる動作が動作Ａであり、表示画面をメイン画面Ｇ１ｍからメニューＢ画面Ｇ１ｂに遷移させる動作Ｂであることが記述されている。
【００４１】
なお、ここでは、複数の画面データＳＤ１に、メイン画面データ、メニューＡ画面データ、メニューＡ１画面データ、メニューＡ２画面データ、メニューＢ画面データ、メニューＢ１画面データおよびメニューＢ２画面データが含まれている。そして、メイン画面Ｇ１ｍは、メイン画面データに基づいて表示部１３に表示される。メニューＡ画面Ｇ１ａは、メニューＡ画面データに基づいて表示部１３に表示され、メニューＡ１画面Ｇａ１は、メニューＡ１画面データに基づいて表示部１３に表示され、メニューＡ２画面Ｇａ２は、メニューＡ２画面データに基づいて表示部１３に表示される。メニューＢ画面Ｇ１ｂは、メニューＢ画面データに基づいて表示部１３に表示され、メニューＢ１画面Ｇｂ１は、メニューＢ１画面データに基づいて表示部１３に表示され、メニューＢ２画面Ｇｂ２は、メニューＢ２画面データに基づいて表示部１３に表示される。
【００４２】
図８から図１０は、各画面遷移ルールに従った表示画面の遷移態様を例示する図である。図８には、図５で示される第１ルールテーブルＴＬ１１で規定される通常画面遷移ルールに従った表示画面の遷移態様が例示されている。図９には、図６で示される第２ルールテーブルＴＬ１２で規定される簡易画面遷移ルールに従った表示画面の遷移態様が例示されている。図１０には、図７で示される第３ルールテーブルＴＬ１３で規定される全画面順次遷移ルールに従った表示画面の遷移態様が例示されている。なお、図８から図１０では、矢印の始点に位置している画面から矢印の終点に位置している画面への遷移が可能であることが示されている。
【００４３】
＜(１−２−１)通常画面遷移ルール＞
図８で示されるように、第１ルールテーブルＴＬ１１で規定される通常画面遷移ルールは、複数の画面を樹枝状に関連付け、表示部１３の表示画面を、階層間で関連付けられた画面間において、表示制御部１１２によって遷移させるルールである。
【００４４】
例えば、通常画面遷移ルールでは、メイン画面データに係るメイン画面Ｇ１ｍが、最上位の第１階層Ｈ１の起点となる１つの画面として規定されている。つまり、第１階層Ｈ１には、メイン画面Ｇ１ｍが属している。また、第１階層Ｈ１の１つの下の階層としての第２階層Ｈ２には、メイン画面Ｇ１ｍで提示される選択肢としての複数の項目に係る複数の画面が属している。本実施形態では、第２階層Ｈ２に属する複数の画面は、メニューＡ画面Ｇ１ａおよびメニューＢ画面Ｇ１ｂである。また、第２階層Ｈ２の１つ下の階層としての第３階層Ｈ３には、第２階層Ｈ２に属する各画面でそれぞれ提示される選択肢としての複数の項目に係る複数の画面が属している。本実施形態では、第３階層Ｈ３に属する複数の画面には、第２階層Ｈ２のメニューＡ画面Ｇ１ａの選択肢に係るメニューＡ１画面Ｇａ１およびメニューＡ２画面Ｇａ２が含まれる。さらに、第３階層Ｈ３に属する複数の画面には、第２階層Ｈ２のメニューＢ画面Ｇ１ｂの選択肢に係るメニューＢ１画面Ｇｂ１およびメニューＢ２画面Ｇｂ２が含まれる。
【００４５】
また、通常画面遷移ルールでは、第１〜３階層Ｈ１〜Ｈ３のうちの一階層の画面データに係る一画面が表示部１３に表示されることが規定されている。そして、通常画面遷移ルールは、表示部１３に一階層の一画面が表示されている状態で、ユーザーの動作に応じて入力される信号に応答して、表示部１３の表示画面を、表示制御部１１２によって一画面から一階層よりも１つ下の他階層の画面データに係る他画面に遷移させるルールを含む。つまり、通常画面遷移ルールは、第１〜３階層Ｈ１〜Ｈ３の間における画面の遷移を規定しており、相対的に上位の階層の画面を、該相対的に上位の階層の画面で選択された選択肢に係る相対的に下位の階層の画面に遷移させるルールを含む。
【００４６】
換言すれば、通常画面遷移ルールは、第１画面が表示部１３に表示されている状態で、ユーザーによる第１動作に応じて入力される信号に応答して、表示部１３の表示画面を、表示制御部１１２によって第１画面から第２画面に遷移させるルールを含む。ここで、第１動作は、例えば、第１画面において第２画面に係る選択肢を選択する動作であれば良い。第１画面は、第１画面データに係る画面であり、第２画面は、第２画面データに係る画面であれば良い。
【００４７】
また、通常画面遷移ルールは、第１画面が表示部１３に表示されている状態で、ユーザーによる第２動作に応じて入力される信号に応答して、表示部１３の表示画面を、表示制御部１１２によって第１画面から第３画面に遷移させるルールを含む。ここで、第２動作は、第１動作とは異なる動作であり、例えば、第１画面において第３画面に係る選択肢を選択する動作であれば良い。第３画面は、第３画面データに係る画面であれば良い。
【００４８】
また、通常画面遷移ルールは、一階層の一画面が表示部１３に表示されている状態で、ユーザーの動作に応じて入力される信号に応答して、表示画面を、表示制御部１１２によって一画面から一階層よりも１つ上の他階層の画面データに係る他画面に遷移させるルールを含む。つまり、通常画面遷移ルールは、第１〜３階層Ｈ１〜Ｈ３の間における画面の遷移を規定しており、相対的に下位の階層の画面を、相対的に上位の階層の画面に遷移させるルールを含む。なお、この際のユーザーの動作は、予め設定された上位階層の画面に戻す動作であれば良く、例えば、左ボタン１２５３を押下する動作であれば良い。
【００４９】
具体的には、図５および図８で示されるように、通常画面遷移ルールには、次の〔１Ａ〕〜〔１Ｌ〕で示される画面の遷移を規定するルールが含まれている。
【００５０】
〔１Ａ〕メイン画面Ｇ１ｍが表示部１３に表示されている状態で、ユーザーによるメニューＡを選択する動作に応じて、表示画面をメイン画面Ｇ１ｍからメニューＡ画面Ｇ１ａに遷移させる。メニューＡを選択する動作は、例えば、メイン画面Ｇ１ｍ上において太枠ＦＬ０を上ボタン１２５１および下ボタン１２５２の押下によって上下に移動させ、メニューＡが太枠ＦＬ０で囲まれた状態で、決定ボタン１２６が押下される動作であれば良い。
【００５１】
〔１Ｂ〕メニューＡ画面Ｇ１ａが表示部１３に表示されている状態で、ユーザーによる上位階層の画面に戻す動作に応じて、表示画面をメニューＡ画面Ｇ１ａからメイン画面Ｇ１ｍに遷移させる。上位階層の画面に戻す動作は、例えば、メニューＡ画面Ｇ１ａが表示されている状態において、左ボタン１２５３が押下される動作であれば良い。
【００５２】
〔１Ｃ〕メニューＡ画面Ｇ１ａが表示部１３に表示されている状態で、ユーザーによるメニュー１を選択する動作に応じて、表示画面をメニューＡ画面Ｇ１ａからメニューＡ１画面Ｇａ１に遷移させる。メニュー１を選択する動作は、例えば、メニューＡ画面Ｇ１ａ上において太枠ＦＬ０を上ボタン１２５１および下ボタン１２５２の押下によって上下に移動させ、メニュー１が太枠ＦＬ０で囲まれた状態で、決定ボタン１２６が押下される動作であれば良い。
【００５３】
〔１Ｄ〕メニューＡ１画面Ｇａ１が表示部１３に表示されている状態で、上記〔１Ｂ〕と同様なユーザーによる上位階層の画面に戻す動作に応じて、表示画面をメニューＡ１画面Ｇａ１からメニューＡ画面Ｇ１ａに遷移させる。
【００５４】
〔１Ｅ〕メニューＡ画面Ｇ１ａが表示部１３に表示されている状態で、ユーザーによるメニュー２を選択する動作に応じて、表示画面をメニューＡ画面Ｇ１ａからメニューＡ２画面Ｇａ２に遷移させる。メニュー２を選択する動作は、例えば、メニューＡ画面Ｇ１ａ上において太枠ＦＬ０を上ボタン１２５１および下ボタン１２５２の押下上下に移動させ、メニュー２が太枠ＦＬ０で囲まれた状態で、決定ボタン１２６が押下される動作であれば良い。
【００５５】
〔１Ｆ〕メニューＡ２画面Ｇａ２が表示部１３に表示されている状態で、上記〔１Ｂ〕と同様なユーザーによる上位階層の画面に戻す動作に応じて、表示画面をメニューＡ２画面Ｇａ２からメニューＡ画面Ｇ１ａに遷移させる。
【００５６】
〔１Ｇ〕メイン画面Ｇ１ｍが表示部１３に表示されている状態において、ユーザーによるメニューＢを選択する動作に応じて、表示画面をメイン画面Ｇ１ｍからメニューＢ画面Ｇ１ｂに遷移させる。メニューＢを選択する動作は、例えば、メイン画面Ｇ１ｍ上において太枠ＦＬ０を上ボタン１２５１および下ボタン１２５２の押下によって上下に移動させ、メニューＢが太枠ＦＬ０で囲まれた状態で、決定ボタン１２６が押下される動作であれば良い。
【００５７】
〔１Ｈ〕メニューＢ画面Ｇ１ｂが表示部１３に表示されている状態において、上記〔１Ｂ〕と同様なユーザーによる上位階層の画面に戻す動作に応じて、表示画面をメニューＢ画面Ｇ１ｂからメイン画面Ｇ１ｍに遷移させる。
【００５８】
〔１Ｉ〕メニューＢ画面Ｇ１ｂが表示部１３に表示されている状態において、ユーザーによるメニュー１を選択する動作に応じて、表示画面をメニューＢ画面Ｇ１ｂからメニューＢ１画面Ｇｂ１に遷移させる。メニュー１を選択する動作は、例えば、メニューＢ画面Ｇ１ｂ上において太枠ＦＬ０を上ボタン１２５１および下ボタン１２５２の押下によって上下に移動させ、メニュー１が太枠ＦＬ０で囲まれた状態で、決定ボタン１２６が押下される動作であれば良い。
【００５９】
〔１Ｊ〕メニューＢ１画面Ｇｂ１が表示部１３に表示されている状態において、上記〔１Ｂ〕と同様なユーザーによる上位階層の画面に戻す動作に応じて、表示画面をメニューＢ１画面Ｇｂ１からメニューＢ画面Ｇ１ｂに遷移させる。
【００６０】
〔１Ｋ〕メニューＢ画面Ｇ１ｂが表示部１３に表示されている状態において、ユーザーによるメニュー２を選択する動作に応じて、表示画面をメニューＢ画面Ｇ１ｂからメニューＢ２画面Ｇｂ２に遷移させる。メニュー２を選択する動作は、例えば、メニューＢ画面Ｇ１ｂ上において太枠ＦＬ０を上ボタン１２５１および下ボタン１２５２の押下によって上下に移動させ、メニュー２が太枠ＦＬ０で囲まれた状態で、決定ボタン１２６が押下される動作であれば良い。
【００６１】
〔１Ｌ〕メニューＢ２画面Ｇｂ２が表示部１３に表示されている状態において、上記〔１Ｂ〕と同様なユーザーによる上位階層の画面に戻す動作に応じて、表示画面をメニューＢ２画面Ｇｂ２からメニューＢ画面Ｇ１ｂに遷移させる。
【００６２】
＜(１−２−２)簡易画面遷移ルール＞
図９で示されるように、第２ルールテーブルＴＬ１２で規定される簡易画面遷移ルールは、通常画面遷移ルールで規定される階層の数が低減された画面遷移ルールである。この簡易画面遷移ルールは、通常画面遷移ルールにおける最下位の第３階層Ｈ３の画面が１つ上の第２階層Ｈ２に組み込まれた第２階層Ｈ２Ａを規定している。つまり、簡易画面遷移ルールでは、通常画面遷移ルールで規定される第１〜３階層Ｈ１〜Ｈ３が、第１および第２階層Ｈ１，Ｈ２Ａに変更されている。また、簡易画面遷移ルールでは、階層間における画面の遷移および第２階層Ｈ２Ａ内における画面の遷移が規定されている。
【００６３】
例えば、簡易画面遷移ルールでは、メイン画面データに係るメイン画面Ｇ１ｍが、最上位の第１階層Ｈ１の起点となる１つの画面として規定されている。つまり、第１階層Ｈ１には、メイン画面Ｇ１ｍが属している。また、第１階層Ｈ１の１つの下の階層としての第２階層Ｈ２Ａには、メイン画面Ｇ１ｍで提示される選択肢としての複数の項目に係る複数の画面ならびに該複数の画面の各画面で提示される複数の項目に係る複数の画面が属している。本実施形態では、第２階層Ｈ２Ａに属する複数の画面には、メニューＡ画面Ｇ１ａおよびメニューＢ画面Ｇ１ｂが含まれる。また、第２階層Ｈ２Ａに属する複数の画面には、メニューＡ画面Ｇ１ａで提示される複数の項目に係るメニューＡ１画面Ｇａ１およびメニューＡ２画面Ｇａ２が含まれる。さらに、第２階層Ｈ２Ａに属する複数の画面には、メニューＢ画面Ｇ１ｂで提示される複数の項目に係るメニューＢ１画面Ｇｂ１およびメニューＢ２画面Ｇｂ２が含まれる。
【００６４】
また、簡易画面遷移ルールは、第１および第２階層Ｈ１，Ｈ２Ａのうちの一階層の画面データに係る一画面が表示部１３に表示されることが規定されている。そして、簡易画面遷移ルールは、メイン画面Ｇ１ｍが表示部１３に表示されている状態で、ユーザーの動作に応じて入力される信号に応答して、表示部１３の表示画面を、表示制御部１１２によってメイン画面Ｇ１ｍから第１画面に遷移させるルールを含む。ここでは、ユーザーの動作は、例えば、メイン画面Ｇ１ｍにおいて、第１画面に対応する選択肢を選択する動作であれば良い。また、第１画面は、下位階層としての第２階層Ｈ２Ａに属するメニューＡ画面Ｇ１ａおよびメニューＢ画面Ｇ１ｂであれば良い。つまり、簡易画面遷移ルールは、相対的に上位の階層の画面を、該相対的に上位の階層の画面で選択された選択肢に係る相対的に下位の階層の画面に遷移させるルールを含む。
【００６５】
また、簡易画面遷移ルールは、第１画面が表示部１３に表示されている状態で、ユーザーによる第３動作に応じて入力される信号に応答して、表示部１３の表示画面を、表示制御部１１２によって第１画面から第２画面に遷移させるルールを含む。ここでは、第３動作は、予め設定された所定の動作であれば良い。所定の動作は、例えば、下ボタン１２５２を押下する動作であれば良い。第１画面は、第１画面データに係る画面であり、メニューＡ画面Ｇ１ａおよびメニューＢ画面Ｇ１ｂの何れかであれば良い。第２画面は、第２画面データに係る画面であり、例えば、第１画面がメニューＡ画面Ｇ１ａであれば、第２画面は、メニューＡ１画面Ｇａ１であれば良く、例えば、第１画面がメニューＢ画面Ｇ１ｂであれば、第２画面は、メニューＢ１画面Ｇｂ１であれば良い。
【００６６】
また、簡易画面遷移ルールは、第２画面が表示部１３に表示されている状態で、ユーザーによる所定の第３動作に応じて入力される信号に応答して、表示部１３の表示画面を、表示制御部１１２によって第２画面から第３画面に遷移させるルールを含む。ここでは、第３動作は、上述した予め設定された所定の動作であれば良い。第３画面は、第３画面データに係る画面であり、例えば、第２画面がメニューＡ１画面Ｇａ１であれば、第３画面は、メニューＡ２画面Ｇａ２であれば良く、例えば、第２画面がメニューＢ１画面Ｇｂ１であれば、第３画面は、メニューＢ２画面Ｇｂ２であれば良い。
【００６７】
つまり、第２画面遷移ルールとしての簡易画面遷移ルールによれば、第１画面遷移ルールとしての通常画面遷移ルールにおける中位の第２階層Ｈ２および最下位の第３階層Ｈ３に属する複数の画面が、同一の第２階層Ｈ２Ａにおいて順に表示される。
【００６８】
また、簡易画面遷移ルールは、第２画面が表示部１３に表示されている状態で、ユーザーによる特定の動作に応じて入力される信号に応答して、表示部１３の表示画面を、表示制御部１１２によって第２画面から第１画面に遷移させるルールを含む。ここでは、特定の動作は、予め設定された所定の動作であれば良く、例えば、上ボタン１２５１を押下する動作であれば良い。また、簡易画面遷移ルールは、第３画面が表示部１３に表示されている状態で、ユーザーによる特定の動作に応じて入力される信号に応答して、表示部１３の表示画面を、表示制御部１１２によって第３画面から第２画面に遷移させるルールを含む。
【００６９】
また、簡易画面遷移ルールは、第２階層Ｈ２Ａの画面データに係る画面が表示部１３に表示されている状態で、ユーザーの動作に応じて入力される信号に応答して、表示部１３の表示画面を、表示制御部１１２によってメイン画面Ｇ１ｍに遷移させるルールを含む。つまり、簡易画面遷移ルールは、相対的に下位の階層の画面を、相対的に上位の階層の画面に遷移させるルールを含む。なお、この際のユーザーの動作は、予め設定された動作であれば良く、例えば、左ボタン１２５３を押下する動作であれば良い。
【００７０】
具体的には、図６および図９で示されるように、簡易画面遷移ルールには、次の〔２Ａ〕〜〔２Ｏ〕で示される画面の遷移を規定するルールが含まれている。
【００７１】
〔２Ａ〕メイン画面Ｇ１ｍが表示部１３に表示されている状態で、上記〔１Ａ〕と同様なユーザーによるメニューＡを選択する動作に応じて、表示画面をメイン画面Ｇ１ｍからメニューＡ画面Ｇ１ａに遷移させる。
【００７２】
〔２Ｂ〕メニューＡ画面Ｇ１ａが表示部１３に表示されている状態で、次の画面の表示を選択する動作に応じて、表示画面をメニューＡ画面Ｇ１ａからメニューＡ１画面Ｇａ１に遷移させる。次の画面の表示を選択する動作は、第３動作としての予め設定された所定の動作であれば良く、例えば、下ボタン１２５２を押下する動作であれば良い。
【００７３】
〔２Ｃ〕メニューＡ画面Ｇ１ａが表示部１３に表示されている状態で、前の画面の表示を選択する動作に応じて、表示画面をメニューＡ画面Ｇ１ａからメニューＡ２画面Ｇａ２に遷移させる。前の画面の表示を選択する動作は、予め設定された所定の動作であれば良く、例えば、上ボタン１２５１を押下する動作であれば良い。
【００７４】
〔２Ｄ〕メニューＡ１画面Ｇａ１が表示部１３に表示されている状態で、上記〔２Ｂ〕と同様な次の画面の表示を選択する動作に応じて、表示画面をメニューＡ１画面Ｇａ１からメニューＡ２画面Ｇａ２に遷移させる。
【００７５】
〔２Ｅ〕メニューＡ１画面Ｇａ１が表示部１３に表示されている状態で、上記〔２Ｃ〕と同様な前の画面の表示を選択する動作に応じて、表示画面をメニューＡ１画面Ｇａ１からメニューＡ画面Ｇ１ａに遷移させる。
【００７６】
〔２Ｆ〕メニューＡ２画面Ｇａ２が表示部１３に表示されている状態で、上記〔２Ｂ〕と同様な次の画面の表示を選択する動作に応じて、表示画面をメニューＡ２画面Ｇａ２からメニューＡ画面Ｇ１ａに遷移させる。
【００７７】
〔２Ｇ〕メニューＡ２画面Ｇａ２が表示部１３に表示されている状態で、上記〔２Ｃ〕と同様な前の画面の表示を選択する動作に応じて、表示画面をメニューＡ２画面Ｇａ２からメニューＡ１画面Ｇａ１に遷移させる。
【００７８】
〔２Ｈ〕メイン画面Ｇ１ｍが表示部１３に表示されている状態で、上記〔１Ｇ〕と同様なユーザーによるメニューＢを選択する動作に応じて、表示画面をメイン画面Ｇ１ｍからメニューＢ画面Ｇ１ｂに遷移させる。
【００７９】
〔２Ｉ〕メニューＢ画面Ｇ１ｂが表示部１３に表示されている状態で、上記〔２Ｂ〕と同様な次の画面の表示を選択する動作に応じて、表示画面をメニューＢ画面Ｇ１ｂからメニューＢ１画面Ｇｂ１に遷移させる。
【００８０】
〔２Ｊ〕メニューＢ画面Ｇ１ｂが表示部１３に表示されている状態で、上記〔２Ｃ〕と同様な前の画面の表示を選択する動作に応じて、表示画面をメニューＢ画面Ｇ１ｂからメニューＢ２画面Ｇａ２に遷移させる。
【００８１】
〔２Ｋ〕メニューＢ１画面Ｇｂ１が表示部１３に表示されている状態で、上記〔２Ｂ〕と同様な次の画面の表示を選択する動作に応じて、表示画面をメニューＢ１画面Ｇｂ１からメニューＢ２画面Ｇｂ２に遷移させる。
【００８２】
〔２Ｌ〕メニューＢ１画面Ｇｂ１が表示部１３に表示されている状態で、上記〔２Ｃ〕と同様な前の画面の表示を選択する動作に応じて、表示画面をメニューＢ１画面Ｇｂ１からメニューＢ画面Ｇ１ｂに遷移させる。
【００８３】
〔２Ｍ〕メニューＢ２画面Ｇｂ２が表示部１３に表示されている状態で、上記〔２Ｂ〕と同様な次の画面の表示を選択する動作に応じて、表示画面をメニューＢ２画面Ｇｂ２からメニューＢ画面Ｇ１ｂに遷移させる。
【００８４】
〔２Ｎ〕メニューＢ２画面Ｇｂ２が表示部１３に表示されている状態で、上記〔２Ｃ〕と同様な前の画面の表示を選択する動作に応じて、表示画面をメニューＢ２画面Ｇｂ２からメニューＢ１画面Ｇｂ１に遷移させる。
【００８５】
〔２Ｏ〕メニューＡ画面Ｇ１ａ、メニューＡ１画面Ｇａ１、メニューＡ２画面Ｇａ２、メニューＢ画面Ｇ１ｂ、メニューＢ１画面Ｇｂ１およびメニューＢ２画面Ｇｂ２の何れか１つの画面が表示部１３に表示されている状態で、上記〔１Ｂ〕と同様なユーザーによる上位階層の画面に戻す動作に応じて、表示画面をメイン画面Ｇ１ｍに遷移させる。
【００８６】
このような簡易画面遷移ルールに従った表示画面の遷移では、表示画面の遷移に係る階層構造が簡易となる。このため、一度に表示可能な情報量が限られた小型の表示部１３において所望の項目を容易かつ迅速に探し出すことができる。
【００８７】
＜(１−２−３)全画面順次遷移ルール＞
図１０で示されるように、第３ルールテーブルＴＬ１３で規定される全画面順次遷移ルールは、通常画面遷移ルールで規定される画面の関連付けを示す樹枝状の階層構造が分解された画面遷移ルールである。換言すれば、全画面順次遷移ルールは、通常画面遷移ルールにおける中位の第２階層Ｈ２の画面および最下位の第３階層Ｈ３の画面が最上位の第１階層Ｈ１に組み込まれた単一の一階層Ｈ１Ｂを規定している。つまり、全画面順次遷移ルールでは、通常画面遷移ルールで規定される第１〜３階層Ｈ１〜Ｈ３ならびに簡易画面遷移ルールで規定される第１および第２階層Ｈ１，Ｈ２Ａが、単一の一階層Ｈ１Ｂに変更されている。そして、全画面順次遷移ルールは、単一の一階層Ｈ１Ｂの画面データに係る一画面が表示部１３に表示されることが規定されている。また、全画面順次遷移ルールは、一階層Ｈ１Ｂ内における全ての画面が順に表示されるような画面の遷移を規定している。
【００８８】
例えば、全画面順次遷移ルールは、ユーザーによる第３動作に応じて入力される信号に応答して、表示制御部１１２によって、全ての画面データに係る全ての画面が順に表示されるように表示部１３の表示画面を遷移させるルールを含む。ここでは、例えば、全ての画面が第１の順に関連付けられていれば、ユーザーによる第３動作が行われる度に、表示画面が第１の順に従って遷移するため、全ての画面が順に表示されるように表示画面が遷移する。なお、第３動作は、予め設定された所定の動作であれば良い。所定の動作は、例えば、下ボタン１２５２を押下する動作であれば良い。つまり、第２画面遷移ルールとしての全画面順次遷移ルールによれば、第１画面遷移ルールとしての通常画面遷移ルールにおける全ての階層Ｈ１〜Ｈ３に属する複数の画面が、単一の一階層Ｈ１Ｂにおいて第１の順で表示され得る。別の観点から言えば、全画面順次遷移ルールによれば、簡易画面遷移ルールにおける全ての階層Ｈ１，Ｈ２Ａに属する複数の画面が、単一の一階層Ｈ１Ｂにおいて第１の順で表示され得る。
【００８９】
なお、全画面順次遷移ルールは、簡易画面遷移ルールと同様に、ユーザーによる第３動作に応じて入力される信号に応答して、表示部１３の表示画面を、表示制御部１１２によって第１画面から第２画面に遷移させるルールを含む。第１画面は、第１画面データに係る画面であり、メニューＡ画面Ｇ１ａおよびメニューＢ画面Ｇ１ｂの何れかであれば良い。また、第２画面は、第２画面データに係る画面であり、例えば、第１画面がメニューＡ画面Ｇ１ａであれば、第２画面は、メニューＡ１画面Ｇａ１であれば良く、例えば、第１画面がメニューＢ画面Ｇ１ｂであれば、第２画面は、メニューＢ１画面Ｇｂ１であれば良い。
【００９０】
さらに、全画面順次遷移ルールは、簡易画面遷移ルールと同様に、ユーザーによる第３動作に応じて入力される信号に応答して、表示部１３の表示画面を、表示制御部１１２によって第２画面から第３画面に遷移させるルールを含む。第３画面は、第３画面データに係る画面であり、例えば、第２画面がメニューＡ１画面Ｇａ１であれば、第３画面は、メニューＡ２画面Ｇａ２であれば良く、例えば、第２画面がメニューＢ１画面Ｇｂ１であれば、第３画面は、メニューＢ２画面Ｇｂ２であれば良い。
【００９１】
また、例えば、全ての画面が第１の順とは逆の第２の順に関連付けられていれば、ユーザーによる特定の動作が行われる度に、表示画面が第２の順に従って遷移するため、全ての画面が順に表示されるように表示画面が遷移する。なお、特定の動作は、予め設定された所定の動作であれば良い。特定の動作は、例えば、上ボタン１２５１を押下する動作であれば良い。つまり、第２画面遷移ルールとしての全画面順次遷移ルールによれば、第１画面遷移ルールとしての通常画面遷移ルールにおける全ての階層Ｈ１〜Ｈ３に属する複数の画面が、単一の一階層Ｈ１Ｂにおいて第２の順で表示され得る。別の観点から言えば、全画面順次遷移ルールによれば、簡易画面遷移ルールにおける全ての階層Ｈ１，Ｈ２Ａに属する複数の画面が、単一の一階層Ｈ１Ｂにおいて第２の順で表示され得る。
【００９２】
具体的には、図７および図１０で示されるように、全画面順次遷移ルールには、次の〔３Ａ〕〜〔３Ｎ〕で示される画面の遷移を規定するルールが含まれている。
【００９３】
〔３Ａ〕メイン画面Ｇ１ｍが表示部１３に表示されている状態で、次の画面の表示を選択する動作に応じて、表示画面をメイン画面Ｇ１ｍからメニューＡ画面Ｇ１ａに遷移させる。次の画面の表示を選択する動作は、第３動作としての予め設定された所定の動作であれば良く、例えば、下ボタン１２５２を押下する動作であれば良い。
【００９４】
〔３Ｂ〕メニューＡ画面Ｇ１ａが表示部１３に表示されている状態で、上記〔３Ａ〕と同様な次の画面の表示を選択する動作に応じて、表示画面をメニューＡ画面Ｇ１ａからメニューＡ１画面Ｇａ１に遷移させる。
【００９５】
〔３Ｃ〕メニューＡ１画面Ｇａ１が表示部１３に表示されている状態で、上記〔３Ａ〕と同様な次の画面の表示を選択する動作に応じて、表示画面をメニューＡ１画面Ｇａ１からメニューＡ２画面Ｇａ２に遷移させる。
【００９６】
〔３Ｄ〕メニューＡ２画面Ｇａ２が表示部１３に表示されている状態で、上記〔３Ａ〕と同様な次の画面の表示を選択する動作に応じて、表示画面をメニューＡ２画面Ｇａ２からメニューＢ画面Ｇ１ｂに遷移させる。
【００９７】
〔３Ｅ〕メニューＢ画面Ｇ１ｂが表示部１３に表示されている状態で、上記〔３Ａ〕と同様な次の画面の表示を選択する動作に応じて、表示画面をメニューＢ画面Ｇ１ｂからメニューＢ１画面Ｇｂ１に遷移させる。
【００９８】
〔３Ｆ〕メニューＢ１画面Ｇｂ１が表示部１３に表示されている状態で、上記〔３Ａ〕と同様な次の画面の表示を選択する動作に応じて、表示画面をメニューＢ１画面Ｇｂ１からメニューＢ２画面Ｇｂ２に遷移させる。
【００９９】
〔３Ｇ〕メニューＢ２画面Ｇｂ２が表示部１３に表示されている状態で、上記〔３Ａ〕と同様な次の画面の表示を選択する動作に応じて、表示画面をメニューＢ２画面Ｇｂ２からメイン画面Ｇ１ｍに遷移させる。
【０１００】
〔３Ｈ〕メニューＢ２画面Ｇｂ２が表示部１３に表示されている状態で、前の画面の表示を選択する動作に応じて、表示画面をメニューＢ２画面Ｇｂ２からメニューＢ１画面Ｇｂ１に遷移させる。前の画面の表示を選択する動作は、予め設定された所定の動作であれば良く、例えば、上ボタン１２５１を押下する動作であれば良い。
【０１０１】
〔３Ｉ〕メニューＢ１画面Ｇｂ１が表示部１３に表示されている状態で、上記〔３Ｈ〕と同様な前の画面の表示を選択する動作に応じて、表示画面をメニューＢ１画面Ｇｂ１からメニューＢ画面Ｇ１ｂに遷移させる。
【０１０２】
〔３Ｊ〕メニューＢ画面Ｇ１ｂが表示部１３に表示されている状態で、上記〔３Ｈ〕と同様な前の画面の表示を選択する動作に応じて、表示画面をメニューＢ画面Ｇ１ｂからメニューＡ２画面Ｇａ２に遷移させる。
【０１０３】
〔３Ｋ〕メニューＡ２画面Ｇａ２が表示部１３に表示されている状態で、上記〔３Ｈ〕と同様な前の画面の表示を選択する動作に応じて、表示画面をメニューＡ２画面Ｇａ２からメニューＡ１画面Ｇａ１に遷移させる。
【０１０４】
〔３Ｌ〕メニューＡ１画面Ｇａ１が表示部１３に表示されている状態で、上記〔３Ｈ〕と同様な前の画面の表示を選択する動作に応じて、表示画面をメニューＡ１画面Ｇａ１からメニューＡ画面Ｇ１ａに遷移させる。
【０１０５】
〔３Ｍ〕メニューＡ画面Ｇ１ａが表示部１３に表示されている状態で、上記〔３Ｈ〕と同様な前の画面の表示を選択する動作に応じて、表示画面をメニューＡ画面Ｇ１ａからメイン画面Ｇ１ｍに遷移させる。
【０１０６】
〔３Ｎ〕メイン画面Ｇ１ｍが表示部１３に表示されている状態で、上記〔３Ｈ〕と同様な前の画面の表示を選択する動作に応じて、表示画面をメイン画面Ｇ１ｍからメニューＢ２画面Ｇｂ２に遷移させる。
【０１０７】
このような全画面順次遷移ルールに従った表示画面の遷移では、表示画面の遷移に係る階層構造が全て解消され、簡単な動作の繰り返しによって、全ての画面を順に表示させることができる。このため、一度に表示可能な情報量が限られた小型の表示部１３において所望の項目を容易かつ迅速に探し出すことができる。
【０１０８】
＜(１−３)表示画面の具体例＞
図１１から図１５は、表示部１３に表示される表示画面の具体例を示す図である。ここでは、通常画面遷移ルールに従って表示画面が遷移する場合を一例として説明する。
【０１０９】
図１１には、メイン画面Ｇ１ｍの一例が示されている。図１１で示されるメイン画面Ｇ１ｍには、８項目の選択肢に係るアイコンが配列されている。そして、メイン画面Ｇ１ｍでは、ユーザーによる十字ボタン１２５の操作によって、８つのアイコンのうちの所望の１つのアイコンが太枠ＦＬ１で囲まれている状態に設定される。このとき、ユーザーによって決定ボタン１２６が押下されることで、太枠ＦＬ１で囲まれたアイコンに係る選択肢が選択される。例えば、色（Color）の設定についての項目が選択されると、色（Color）の設定に係る５項目の設定内容が列挙されているメニュー画面Ｇ１ｃ（図１２）が表示部１３に表示される。
【０１１０】
図１２で示されるメニュー画面Ｇ１ｃでは、ユーザーによる十字ボタン１２５の押下によって、５項目のうちの所望の１つの設定内容を示す領域が太枠ＦＬ２で囲まれている状態に設定される。このとき、ユーザーによって決定ボタン１２６が押下されることで、太枠ＦＬ２で囲まれた設定内容に係る項目の設定が選択される。例えば、色空間（Color Space）の設定についての項目が選択されると、色空間（Color Space）の設定に係る１２種類の色空間が選択肢として列挙されているメニュー画面Ｇｃ１（図１３）が表示部１３に表示される。
【０１１１】
図１３で示されるメニュー画面Ｇｃ１では、ユーザーによる十字ボタン１２５の押下によって、１２種類の色空間のうちの所望の１種類の色空間を示す領域が太枠ＦＬ３で囲まれている状態に設定される。このとき、ユーザーによって決定ボタン１２６が押下されることで、太枠ＦＬ３で囲まれた色空間の設定が選択される。例えば、１２種類の色空間のうちの１つの色空間としてのＰｈ．ＥＵの色相設定についての項目が選択されると、Ｐｈ．ＥＵの色相設定に係る６項目の選択肢が列挙されているメニュー画面Ｇｃ１１１（図１４）が表示部１３に表示される。
【０１１２】
図１４で示されるメニュー画面Ｇｃ１１１では、ユーザーによる十字ボタン１２５の押下によって、６項目の選択肢のうちの所望の１つの選択肢を示す領域が太枠ＦＬ４で囲まれている状態に設定される。このとき、ユーザーによって決定ボタン１２６が押下されることで、太枠ＦＬ４で囲まれた項目の選択肢が選択される。例えば、６項目の選択肢のうちの１つの選択肢としての自動（Ａｕｔｏ）が選択されると、Ｐｈ．ＥＵの算出演算の際に用いられる色相において自動的な設定が行われる。
【０１１３】
＜(１−４)一実施形態のまとめ＞
以上のように、一実施形態に係る表示装置としての役割を果たす測色計１では、複数の画面遷移ルールのうちの１つの画面遷移ルールが選択的に指定されることで、表示画面の遷移に係る階層構造が簡易化または解消され得る。これにより、測色計１の機能についての理解が深いユーザーは、例えば、表示画面の遷移に係る階層構造を規定する通常画面遷移ルールを指定することで、測色計１の表示画面の遷移を自由自在に行うことができる。一方、測色計１の機能についての理解が乏しいユーザーは、表示画面の遷移に係る階層構造を簡易化または解消することで、簡単な動作によって、より多くの画面を順に表示させることができるため、表示画面を所望の画面まで容易に遷移させることができる。
【０１１４】
特に、例えば、測色計１の表示画面の遷移について全く知識がないユーザーであっても、表示画面の遷移に係る階層構造を解消することで、全ての画面を順に確認することができる。また、例えば、設定される頻度が低いメニューを示す画面については、より下位の階層に属していることが多いため、そのような画面まで表示画面を遷移させることは、ユーザーにとって容易でない。しかしながら、ユーザーは、表示画面の遷移に係る階層構造を簡易化または解消し、簡単な動作によって、より多くの画面を順に表示させることで、通常は表示画面の遷移によって容易に表示させることができない画面まで容易に表示画面を遷移させることができる。
【０１１５】
したがって、測色計１の機能についてのユーザーの理解の深さに拘わらず、ユーザーは、表示画面を所望の画面まで容易に遷移させることができる。これにより、一度に表示可能な情報量が限られた小型の表示部１３において所望の項目を容易かつ迅速に探し出すことができる。
【０１１６】
ところで、測色計１の設計および開発の段階において、画面の設計者等が、表示部１３に表示される各種画面を確認したい場面がある。そのような画面において、例えば、全ての画面を順に確認することができれば、画面の配色等を含めたデザインについて、全ての画面が網羅的に確認され得る。これにより、文字および図形等が見難いと言った問題が解消され得る。例えば、色弱者等を含めた様々な方にとって見易い画面となっているかと言ったユニバーサルデザインの観点に係る問題が解消され得る。また、例えば、各種測定値および各種設定値を示す数値の桁数および文字の大きさが、より多くの方に見易いものに設定され得る。また、メニューの項目および電池の充電状況等を示すアイコン等の表示要素についての直感的な分かり易さおよびデザイン性の良否等が網羅的に確認されることで、表示要素の改善が図られ得る。さらに、測色計１の説明書等を作成する際に、測色計１についての知識がない者であっても、全ての画面を漏れなく撮影することができる。
【０１１７】
＜(２)変形例＞
なお、本発明は上述の一実施形態に限定されるものではなく、本発明の要旨を逸脱しない範囲において種々の変更、改良等が可能である。
【０１１８】
＜(２−１)第１変形例＞
上記一実施形態に係る測色計１において、画面上に表示される文字情報を示す言語が切り替え可能であっても良い。
【０１１９】
この場合には、例えば、複数の画面データＳＤ１に、同一の内容について各言語で記述された画面に係る画面データが含まれれば良い。例えば、記憶部１１ｓには、第１言語で記述されたメイン画面に係るメイン画面データ、および第２言語で記述されたメイン画面に係るメイン画面データが記憶される。また、例えば、記憶部１１ｓには、第１言語で記述された第１画面としてのメニューＡ画面に係る第１画面データとしてのメニューＡ画面データおよび第２言語で記述された第４画面としてのメニューＡ画面に係る第４画面データとしてのメニューＡ画面データが記憶される。また、例えば、記憶部１１ｓには、第１言語で記述された第２画面としてのメニューＡ１画面に係る第２画面データとしてのメニューＡ１画面データおよび第２言語で記述された第５画面としてのメニューＡ１画面に係る第５画面データとしてのメニューＡ１画面データが記憶される。また、例えば、記憶部１１ｓには、第１言語で記述された第３画面としてのメニューＡ２画面に係る第３画面データとしてのメニューＡ２画面データおよび第２言語で記述された第６画面としてのメニューＡ２画面に係る第６画面データとしてのメニューＡ２画面データが記憶される。第１言語は、例えば、日本語であれば良く、第２言語は、例えば、英語であれば良い。
【０１２０】
また、図１５で示されるように、例えば、第１〜３ルールテーブルＴＬ１１〜ＴＬ１３が、第１〜３ルールテーブルＴＬ１１ａ〜ＴＬ１１ｄ，ＴＬ１２ａ〜ＴＬ１２ｄ，ＴＬ１３ａ〜ＴＬ１３ｄ，ＴＬ１４ａ〜ＴＬ１４ｄに置換されれば良い。ここでは、例えば、第１〜３ルールテーブルＴＬ１１ａ〜ＴＬ１３ａは、日本語に係るルールテーブルであり、第１〜３ルールテーブルＴＬ１１ｂ〜ＴＬ１３ｂは、英語に係るルールテーブルである。また、例えば、第１〜３ルールテーブルＴＬ１１ｃ〜ＴＬ１３ｃは、中国語に係るルールテーブルであり、第１〜３ルールテーブルＴＬ１１ｄ〜ＴＬ１３ｄは、ドイツ語に係るルールテーブルである。そして、ユーザーによる操作部１２の操作に応じて入力される信号に応答して、指定部１１１によって、例えば、第１〜３ルールテーブルＴＬ１１ａ〜ＴＬ１１ｄ，ＴＬ１２ａ〜ＴＬ１２ｄ，ＴＬ１３ａ〜ＴＬ１３ｄ，ＴＬ１４ａ〜ＴＬ１４ｄのうちの１つのルールテーブルが選択的に指定されれば良い。
【０１２１】
ここで、表示画面に係る言語を切り替える動作の一例について説明する。
【０１２２】
例えば、図１１で示されるメイン画面Ｇ１ｍにおいて、例えば、システム（System）の設定についての項目が選択されると、システム（System）の設定に係る５項目の設定内容が列挙されているメニュー画面Ｇ１ｈ（図１６）が表示部１３に表示される。
【０１２３】
図１６で示されるメニュー画面Ｇ１ｈでは、ユーザーによる十字ボタン１２５の押下によって、５項目のうちの所望の１つの設定内容を示す領域が太枠ＦＬ５で囲まれている状態に設定される。このとき、ユーザーによって決定ボタン１２６が押下されることで、太枠ＦＬ５で囲まれた設定内容に係る項目の設定が選択される。例えば、言語（Language）の設定についての項目が選択されると、言語（Language）の設定に係る４つの言語が選択肢として列挙されている設定画面Ｇ１ｉ（図１７）が表示部１３に表示される。
【０１２４】
図１７で示される設定画面Ｇ１ｉでは、ユーザーによる十字ボタン１２５の押下によって、４つの言語のうちの所望の１つの言語を示す領域が太枠ＦＬ６で囲まれている状態に設定される。このとき、ユーザーによって決定ボタン１２６が押下されることで、太枠ＦＬ６で囲まれた１つの言語が選択される。ここで選択された言語に応じて、指定部１１１によって選択的に指定されるルールテーブルが変更される。例えば、指定部１１１によって第３ルールテーブルＴＬ１３ａが指定されている状態で、言語が日本語から英語に変更されれば、指定部１１１によって第３ルールテーブルＴＬ１３ｂが指定される。
【０１２５】
図１８から図２１は、各言語で記述された同一の内容を示す画面を例示する図である。図１８には、英語で記述された画面Ｇ２ｅが示されており、図１９には、日本語で記述された画面Ｇ２ｊが示されており、図２０には、中国語で記述された画面Ｇ２ｃが示されており、図２１には、ドイツ語で記述された画面Ｇ２ｇが示されている。
【０１２６】
上記構成では、指定部１１１によって、第１ルールテーブルＴＬ１１ａ〜ＴＬ１１ｄの何れのルールテーブルが指定されても、図５および図８で示された通常画面遷移ルールと同様な表示画面の遷移が実行される。
【０１２７】
例えば、第１ルールテーブルＴＬ１１ａで規定される通常画面遷移ルールは、第１画面が表示部１３に表示されている状態で、ユーザーによる第１動作に応じて入力される信号に応答して、表示部１３の表示画面を、表示制御部１１２によって第１画面から第２画面に遷移させるルールを含む。ここで、第１動作は、例えば、第１画面において第２画面に係る選択肢を選択する動作であれば良い。また、第１ルールテーブルＴＬ１１ａで規定される通常画面遷移ルールは、第１画面が表示部１３に表示されている状態で、ユーザーによる第２動作に応じて入力される信号に応答して、表示部１３の表示画面を、表示制御部１１２によって第１画面から第３画面に遷移させるルールを含む。ここで、第２動作は、例えば、第１画面において第３画面に係る選択肢を選択する動作であれば良い。なお、第１画面は、例えば、日本語で記述されたメニューＡ画面あるいは日本語で記述されたメニューＢ画面であれば良い。また、例えば、第１画面が、日本語で記述されたメニューＡ画面であれば、第２画面は、日本語で記述されたメニューＡ１画面であれば良い。また、例えば、第１画面が、日本語で記述されたメニューＢ画面であれば、第２画面は、日本語で記述されたメニューＢ１画面であれば良い。さらに、例えば、第１画面が、日本語で記述されたメニューＡ画面であれば、第３画面は、日本語で記述されたメニューＡ２画面であれば良い。また、例えば、第１画面が、日本語で記述されたメニューＢ画面であれば、第３画面は、日本語で記述されたメニューＢ２画面であれば良い。
【０１２８】
また、例えば、第１ルールテーブルＴＬ１１ｂで規定される通常画面遷移ルールは、第４画面が表示部１３に表示されている状態で、ユーザーによる第４動作に応じて入力される信号に応答して、表示部１３の表示画面を、表示制御部１１２によって第４画面から第５画面に遷移させるルールを含む。ここで、第４動作は、例えば、第４画面において第５画面に係る選択肢を選択する動作であれば良い。また、第１ルールテーブルＴＬ１１ｂで規定される通常画面遷移ルールは、第４画面が表示部１３に表示されている状態で、ユーザーによる第５動作に応じて入力される信号に応答して、表示部１３の表示画面を、表示制御部１１２によって第４画面から第６画面に遷移させるルールを含む。ここで、第５動作は、第４動作とは異なっており、例えば、第４画面において第６画面に係る選択肢を選択する動作であれば良い。なお、第４画面は、例えば、英語で記述されたメニューＡ画面あるいは英語で記述されたメニューＢ画面であれば良い。また、例えば、第４画面が英語で記述されたメニューＡ画面であれば、第５画面は、英語で記述されたメニューＡ１画面であれば良い。また、例えば、第４画面が英語で記述されたメニューＢ画面であれば、第５画面は、英語で記述されたメニューＢ１画面であれば良い。さらに、例えば、第４画面が英語で記述されたメニューＡ画面であれば、第６画面は、英語で記述されたメニューＡ２画面であれば良い。また、例えば、第４画面が英語で記述されたメニューＢ画面であれば、第６画面は、英語で記述されたメニューＢ２画面であれば良い。
【０１２９】
また、上記構成では、指定部１１１によって、第２ルールテーブルＴＬ１２ａ〜ＴＬ１２ｄの何れのルールテーブルが指定されても、図６および図９で示された簡易画面遷移ルールと同様な表示画面の遷移が実行される。さらに、上記構成では、指定部１１１によって、第３ルールテーブルＴＬ１３ａ〜ＴＬ１３ｄの何れのルールテーブルが指定されても、図７および図１０で示された全画面順次遷移ルールと同様な表示画面の遷移が実行される。
【０１３０】
以上のように、各言語について、複数の画面遷移ルールのうちの１つの画面遷移ルールが選択的に指定されることで、表示画面の遷移に係る階層構造が簡易化または解消され得る。これにより、上記一実施形態と同様な効果が得られる。また、測色計１の設計および開発の段階において、各言語について、全ての画面を漏れなく効率的に確認することが可能となる。これにより、例えば、各画面上において、言語の置き換えによる単語および文章の長短が生じることで文字情報が記述対象の領域からはみ出すと言った不具合が容易かつ効率的に確認され得る。その結果、言語の置き換えに係る修正に要する作業の削減および時間の短縮が図られ得る。
【０１３１】
＜(２−２)第２変形例＞
また、上記第１変形例においては、言語の選択に応じて、単純に指定部１１１で指定されるルールテーブルが変更されたが、これに限られない。例えば、第３ルールテーブルＴＬ１３ａ〜ＴＬ１３ｄの何れか１つが指定部１１１によって指定されている場合には、ユーザーによる予め設定された動作に応じて、表示画面が、同一内容の他言語で記述された画面の間で遷移されても良い。すなわち、ユーザーによる予め設定された動作に応じて、指定部１１１によって、第３ルールテーブルＴＬ１３ａ〜ＴＬ１３ｄの間で指定されているルールテーブルが変更されても良い。
【０１３２】
この場合、例えば、第１言語に係る画面が表示される際には、ユーザーによる第３動作に応答して、第１言語に係る全画面Ｇｐ１が順に表示されるように表示画面が遷移される。ここでは、例えば、第１言語に係る全画面Ｇｐ１が第１の順に関連付けられていれば、ユーザーによる第３動作が行われる度に、表示画面が第１の順に従って遷移するため、第１言語に係る全画面Ｇｐ１が順に表示されるように表示画面が遷移する。なお、第３動作は、予め設定された所定の動作であれば良い。この所定の動作は、例えば、下ボタン１２５２を押下する動作であれば良い。また、第１言語は、例えば、日本語であれば良い。
【０１３３】
また、例えば、第２言語に係る画面が表示される際には、ユーザーによる第３動作に応答して、第２言語に係る全画面Ｇｐ２が順に表示されるように表示画面が遷移される。ここでは、例えば、第２言語に係る全画面Ｇｐ２が第１の順に関連付けられていれば、ユーザーによる第３動作が行われる度に、表示画面が第１の順に従って遷移するため、第２言語に係る全画面Ｇｐ２が順に表示されるように表示画面が遷移する。また、第２言語は、例えば、英語であれば良い。
【０１３４】
また、例えば、第３言語に係る画面が表示される際には、ユーザーによる第３動作に応答して、第３言語に係る全画面Ｇｐ３が順に表示されるように表示画面が遷移される。ここでは、例えば、第３言語に係る全画面Ｇｐ３が第１の順に関連付けられていれば、ユーザーによる第３動作が行われる度に、表示画面が第１の順に従って遷移するため、第３言語に係る全画面Ｇｐ３が順に表示されるように表示画面が遷移する。また、第３言語は、例えば、中国語であれば良い。
【０１３５】
また、例えば、第４言語に係る画面が表示される際には、ユーザーによる第３動作に応答して、第４言語に係る全画面Ｇｐ４が順に表示されるように表示画面が遷移される。ここでは、例えば、第４言語に係る全画面Ｇｐ４が第１の順に関連付けられていれば、ユーザーによる第３動作が行われる度に、表示画面が第１の順に従って遷移するため、第４言語に係る全画面Ｇｐ４が順に表示されるように表示画面が遷移する。また、第４言語は、例えば、ドイツ語であれば良い。
【０１３６】
また、例えば、一内容に係る一画面が表示されている際には、ユーザーによる特定の動作に応答して、一内容に係る全ての言語に係る画面が順に表示されるように表示画面が遷移される。ここで、例えば、一内容に係る全ての言語の画面が第３の順に関連付けられていれば、ユーザーによる特定の動作が行われる度に、表示画面が第３の順に従って遷移するため、一内容に係る全て言語の画面が順に表示されるように表示画面が遷移する。なお、特定の動作は、予め設定された動作であれば良く、例えば、右ボタン１２５４を押下する動作であれば良い。また、ここで、例えば、一内容に係る全ての言語の画面が第３の順とは逆の第４の順に関連付けられていれば、ユーザーによる他の特定の動作が行われる度に、表示画面が第４の順に従って遷移するため、一内容に係る全ての言語の画面が順に表示されるように表示画面が遷移する。なお、他の特定の動作は、予め設定された所定の動作であれば良く、例えば、左ボタン１２５３を押下する動作であれば良い。
【０１３７】
具体的には、例えば、第１画面と第４画面とを含む同一内容に係る第１画面群Ｇｒ１の何れか１つの画面が表示されている状態で、ユーザーによる特定の動作に応答して、表示画面が第１画面群Ｇｒ１を構成する２以上の画面が順に表示されるように遷移する。２以上の画面が順に表示される態様には、２以上の画面が循環するように繰り返して表示される態様、および２以上の画面が往復するように繰り返して表示される態様等が考えられる。また、例えば、第２画面と第５画面とを含む同一内容に係る第２画面群Ｇｒ２の何れか１つの画面が表示されている状態で、ユーザーによる特定の動作に応答して、表示画面が第２画面群Ｇｒ２を構成する２以上の画面が順に表示されるように遷移する。さらに、例えば、第３画面と第６画面とを含む同一内容に係る第３画面群Ｇｒ３の何れか１つの画面が表示されている状態で、ユーザーによる特定の動作に応答して、表示画面が第３画面群Ｇｒ３を構成する２以上の画面が順に表示されるように遷移する。
【０１３８】
図２２は、第２変形例に係る表示画面の遷移態様を例示する図である。なお、図２２では、実線の矢印の始点に位置している画面から実線の矢印の終点に位置している画面への遷移が可能であることが示されている。また、破線の矢印は、図示が省略されている他の画面を介した画面の遷移が可能であることが示されている。
【０１３９】
図２２で示されるように、第１言語に係る全画面順次遷移ルールは、例えば、ユーザーの第３動作に応じて入力される信号に応答して、表示部１３の表示画面を、表示制御部１１２によって第１画面から第２画面に遷移させるルールを含む。例えば、第１画面が、第１言語としての日本語に係るメニューＡ画面Ｇ１ａ１であれば、第２画面は、第１言語としての日本語に係るメニューＡ１画面Ｇａ１１である。さらに、第１言語に係る全画面順次遷移ルールは、ユーザーによる第３動作に応じて入力される信号に応答して、表示部１３の表示画面を、表示制御部１１２によって第２画面から第３画面に遷移させるルールを含む。例えば、第２画面が、第１言語としての日本語に係るメニューＡ１画面Ｇａ１１であれば、第３画面は、第１言語としての日本語に係るメニューＡ２画面Ｇａ２１である。
【０１４０】
また、例えば、第２言語に係る全画面順次遷移ルールは、例えば、ユーザーによる第３動作に応じて入力される信号に応答して、表示部１３の表示画面を、表示制御部１１２によって第４画面から第５画面に遷移させるルールを含む。第４画面は、第４画面データに係る画面であり、第５画面は、第５画面データに係る画面である。例えば、第４画面が、第２言語としての英語に係るメニューＡ画面Ｇ１ａ２であれば、第５画面は、第２言語としての英語に係るメニューＡ１画面Ｇａ１２である。さらに、第２言語に係る全画面順次遷移ルールは、ユーザーによる第３動作に応じて入力される信号に応答して、表示部１３の表示画面を、表示制御部１１２によって第５画面から第６画面に遷移させるルールを含む。第６画面は、第６画面データに係る画面である。例えば、第５画面が、第２言語としての英語に係るメニューＡ１画面Ｇａ１２であれば、第６画面は、第２言語としての英語に係るメニューＡ２画面Ｇａ２２である。
【０１４１】
また、例えば、第１〜４言語に係る全画面順次遷移ルールは、ユーザーの特定の動作に応じて入力される信号に応答して、第１〜４言語に係るメイン画面Ｇ１ｍ１〜Ｇ１ｍ４を含む画面群Ｇｒ０の２以上の画面が順に表示されるように表示画面を遷移させるルールを含む。ここで、ユーザーの特定の動作は、予め設定された動作であれば良く、例えば、メイン画面Ｇ１ｍ１〜Ｇ１ｍ４をこの順で表示させる場合には、右ボタン１２５４を押下する動作であれば良い。また、例えば、メイン画面Ｇ１ｍ１〜Ｇ１ｍ４をこの順とは逆の順で表示させる場合には、ユーザーの動作は、左ボタン１２５３を押下する動作であれば良い。
【０１４２】
また、例えば、第１〜４言語に係る全画面順次遷移ルールは、ユーザーの動作に応じて入力される信号に応答して、第１〜４言語に係るメニューＡ画面Ｇ１ａ１〜Ｇ１ａ４を含む画面群Ｇｒ１の２以上の画面が順に表示されるように表示画面を遷移させるルールを含む。また、例えば、第１〜４言語に係る全画面順次遷移ルールは、ユーザーの動作に応じて入力される信号に応答して、第１〜４言語に係るメニューＡ１画面Ｇａ１１〜Ｇａ１４を含む画面群Ｇｒ２の２以上の画面が順に表示されるように表示画面を遷移させるルールを含む。また、例えば、第１〜４言語に係る全画面順次遷移ルールは、ユーザーの動作に応じて入力される信号に応答して、第１〜４言語に係るメニューＡ２画面Ｇａ２１〜Ｇａ２４を含む画面群Ｇｒ３の２以上の画面が順に表示されるように表示画面を遷移させるルールを含む。
【０１４３】
以上のように、第２変形例に係る表示装置としての測色計１では、例えば、通常画面遷移ルールが選択的に指定されれば、複数のグループの各グループを成す複数の画面が階層化されて樹枝状に関連付けられた画面の遷移が行われる。各グループを成す複数の画面は、例えば、各言語で記述された複数の画面である。また、例えば、全画面順次遷移ルールが選択的に指定されれば、各グループを成す複数の画面がユーザーによる所定の動作に応じて順に表示される。さらに、ユーザーによる特定の動作に応じて、複数のグループの間において対応する画面を順に表示させる画面の遷移が行われる。対応する画面は、例えば、同一内容を示す画面である。そして、通常画面遷移ルールに従って表示画面の遷移が行われる状態と、全画面順次遷移ルールに従って表示画面の遷移が行われる状態とを切り替えることが可能である。これにより、ユーザーは、対応する画面を対比しながら確認することができる。したがって、例えば、各画面上において、言語の置き換えによって生じる不具合がさらに容易かつ効率的に確認され得る。その結果、言語の置き換えに係る修正に要する作業の削減および時間の短縮がさらに図られる。
【０１４４】
＜(２−３)その他の変形例＞
例えば、上記一実施形態および上記各変形例では、通常画面遷移ルールにおいて、複数の画面が３階層を成すように樹枝状に関連付けられたが、これに限られない。例えば、複数の画面が２階層を成すように樹枝状に関連付けられても良いし、複数の画面が４以上の階層を成すように樹枝状に関連付けられても良い。すなわち、通常画面遷移ルールにおいては、複数の画面が２以上の階層を成すように樹枝状に関連付けられていれば良い。
【０１４５】
この場合、通常画面遷移ルールは、２以上の階層のうちの一階層の一画面が表示部１３に表示されている状態で、ユーザーの動作に応じて入力される信号に応答して、表示部１３の表示画面を、表示制御部１１２によって１つ下の階層の画面に遷移させるルールを含む。つまり、一階層の画面データに係る一画面から２以上の階層のうちの一階層よりも１つ下の他階層の画面データに係る他画面に遷移させるルールを含む。また、通常画面遷移ルールは、２以上の階層のうちの一階層の一画面が表示部１３に表示されている状態で、ユーザーの動作に応じて入力される信号に応答して、表示部１３の表示画面を、表示制御部１１２によって１つ上の階層の画面に遷移させるルールを含む。つまり、一階層の画面データに係る一画面から２以上の階層のうちの一階層よりも１つ上の他階層の画面データに係る他画面に遷移させるルールを含む。
【０１４６】
また、上記一実施形態および上記各変形例では、簡易画面遷移ルールおよび全画面順次遷移ルールでは、通常画面遷移ルールにおける一階層に属する全ての画面が、該一階層よりも上の階層に組み込まれたが、これに限られない。例えば、通常遷移ルールにおける一階層に属する少なくとも一部の画面が、該一階層よりも上の階層に組み込まれても良い。
【０１４７】
また、上記一実施形態および上記各変形例では、第１〜３ルールテーブルＴＬ１１〜ＴＬ１３の何れか１つのルールテーブルの選択的な指定は、ボタン１２１が押下される際におけるボタン１２３，１２４の押下の有無によって実行されたが、これに限られない。表示画面上における選択肢の選択に応答して、指定部１１１によって、第１〜３ルールテーブルＴＬ１１〜ＴＬ１３の何れか１つのルールテーブルが指定されても良い。
【０１４８】
また、上記一実施形態および上記各変形例では、十字ボタン１２５の押下に応答して、表示画面が遷移されたが、これに限られない。例えば、十字ボタン１２５の押下の代わりに、他のボタンの押下に応答して、表示画面が遷移されても良い。また、例えば、十字ボタン１２５の押下の代わりに、表示画面上における選択肢の選択に応答して、表示画面が遷移されても良い。選択肢としては、例えば、「次へ」「前へ」「戻る」「次の言語」「前の言語」等が挙げられる。
【０１４９】
また、上記一実施形態および上記各変形例では、ユーザーによる操作部１２の操作に応じて入力される信号に応答して、ルールテーブルの選択的な指定ならびに表示画面の遷移が行われたが、これに限られない。例えば、図２３で示されるように、表示部１３が、ユーザーの動作に応じた信号をマイコン部１１に出力する操作部１２Ａが付加された表示部１３Ａに変更されても良い。これにより、操作部１２Ａから指定部１１１および表示制御部１１２にユーザーの動作に応じた信号が出力され得る。このような表示部１３Ａとしては、例えば、タッチパネル方式の液晶ディスプレイ等が挙げられる。このような構成が採用されれば、例えば、表示部１３Ａとは別に操作部１２を設けなくても良いため、表示装置としての測色計１の小型化が図られる。但し、上記一実施形態および上記各種変形例のように、表示部１３とは別に操作部１２が設けられれば、表示部１３の小型化が図られる。
【０１５０】
また、上記一実施形態および上記各変形例では、操作部１２および表示部１３Ａに対するユーザーの操作に応じて信号が入力されたが、これに限られない。例えば、ユーザーの音声等の各種動作に応答して、信号がマイコン部１１に出力される構成が採用されても良い。このような構成としては、例えば、音声認識を行い、信号を出力する構成が考えられる。
【０１５１】
また、上記一実施形態および上記各変形例では、表示画面を遷移させるルールが、第１〜３ルールテーブルＴＬ１１〜ＴＬ１３，ＴＬ１１ａ〜ＴＬ１３ａ，ＴＬ１１ｂ〜ＴＬ１３ｂ，ＴＬ１１ｃ〜ＴＬ１３ｃ，ＴＬ１１ｄ〜ＴＬ１３ｄによって規定されていたが、これに限られない。例えば、テーブル以外の態様で、各ルールが記述されても良い。
【０１５２】
また、上記一実施形態および上記各変形例では、通常画面遷移ルール、簡易画面遷移ルールおよび全画面順次遷移ルールが採用されていたが、これに限られない。例えば、簡易画面遷移ルールおよび全画面順次遷移ルールの何れか一方のルールが採用されても良い。
【０１５３】
また、上記一実施形態および上記各変形例では、表示装置としての測色計１について説明したが、本発明に係る表示装置は、携帯式の音楽プレーヤーおよびＩＣレコーダー等と言った小型の表示部が搭載されている各種電子機器一般に適用され得る。
【０１５４】
なお、上記一実施形態および各種変形例をそれぞれ構成する全部または一部を、適宜、矛盾しない範囲で組み合わせ可能であることは、言うまでもない。
【符号の説明】
【０１５５】
１  測色計
１０  制御ユニット
１１  マイコン部
１１１  指定部
１１２  表示制御部
１１ｃ  プロセッサー
１１ｓ  記憶部
１２，１２Ａ  操作部
１３，１３Ａ  表示部
Ｇ１ａ，Ｇ１ａ１〜Ｇ１ａ４  メニューＡ画面
Ｇ１ｍ，Ｇ１ｍ１〜Ｇ１ｍ４  メイン画面
Ｇａ１，Ｇａ１１〜Ｇａ１４  メニューＡ１画面
Ｇａ２，Ｇａ２１〜Ｇａ２４  メニューＡ２画面
Ｇｂ１  メニューＢ１画面
Ｇｂ２  メニューＢ２画面
Ｇｐ１〜Ｇｐ４  全画面
Ｇｒ１〜Ｇｒ３  第１〜３画面群
ＰＧ１  プログラム
ＴＬ１  ルールテーブル
ＴＬ１１，ＴＬ１１ａ〜ＴＬ１１ｄ  第１ルールテーブル
ＴＬ１２，ＴＬ１２ａ〜ＴＬ１２ｄ  第２ルールテーブル
ＴＬ１３，ＴＬ１３ａ〜ＴＬ１３ｄ  第３ルールテーブル
【図１】
0005751400.tif 000002
【図２】
0005751400.tif 000003
【図３】
0005751400.tif 000004
【図４】
0005751400.tif 000005
【図５】
0005751400.tif 000006
【図６】
0005751400.tif 000007
【図７】
0005751400.tif 000008
【図８】
0005751400.tif 000009
【図９】
0005751400.tif 000010
【図１０】
0005751400.tif 000011
【図１５】
0005751400.tif 000012
【図２２】
0005751400.tif 000013
【図２３】
0005751400.tif 000014
【図１１】
0005751400.tif 000015
【図１２】
0005751400.tif 000016
【図１３】
0005751400.tif 000017
【図１４】
0005751400.tif 000018
【図１６】
0005751400.tif 000019
【図１７】
0005751400.tif 000020
【図１８】
0005751400.tif 000021
【図１９】
0005751400.tif 000022
【図２０】
0005751400.tif 000023
【図２１】
0005751400.tif 000024